(57)【要約】【課題】    スペース効率が良好で、安価に施工出来、一般の住宅建物に用いて好適な住宅用雨水貯留システムを提供する。【解決手段】  卵形配管１８が、雨水を通過させる通過部１８ｂと、雨水を一定量貯留可能な貯留部１８ｃとに、仮想的に設けられる水平境界線２４を挟んで、上，下に機能的に分割されている。  通過部１８ｂは、個別雨水マス１６から下流側に設けられた隣接する他の個別雨水マス１６又は、宅地内最終雨水マス１７へ通過させるため、出口開口部２６ａ又は入口開口部２５ａの流路断面積と略同一の流路断面積を有して、雨水が通過可能となる最低断面積を超える断面積に設定されている。  また、貯留部１８ｃは、卵形配管１８の流路断面内で、通過部１８ｂの上下方向で下方位置に設けられて、この卵形配管１８の長手方向に沿って、略全長に渡り形成されている。【選択図】図１
2005188060.tif 000002
【特許請求の範囲】
【請求項１】
宅地内の建物の周囲に設けられて、建物の屋根部へ降雨した雨水を、縦樋を介して個別
雨水マスに集水し、個別雨水マス間及び宅地内最終マス間を埋設配管で接続することによ
り、雨水を通過させて宅地内最終雨水マスへ、雨水を流下させる住宅用雨水貯留システム
であって、
前記埋設配管には、雨水を一定量貯留可能な貯留部を設けたことを特徴とする住宅用雨
水貯留システム。
【請求項２】
前記貯留部は、前記埋設配管の流路断面内で、出口開口部又は入口開口部の断面積を有
する前記通過部の上下方向位置に設けられて、該埋設配管の長手方向に沿って形成されて
いることを特徴とする請求項１記載の住宅用雨水貯留システム。
【請求項３】
前記貯留部は、前記埋設配管の流路断面内で、下方に位置させることにより、上方に位
置する通過部に対して、該通過部の流路断面積を、前記雨水が通過可能となる一定の断面
積に設定した際の該通過部との間に水平境界線を設け、前記宅地内最終雨水マスに設けら
れたオーバーフローパイプの下端縁の上下方向位置と、該水平境界線の上下方向位置とを
一致させると共に該宅地内最終雨水マスには、貯留される雨水を徐々に排水可能なオリフ
ィスを設けたことを特徴とする請求項１又は２記載の住宅用雨水貯留システム。
【請求項４】
前記埋設配管は、卵形断面形状を有する卵形配管であることを特徴とする請求項１乃至
３のうち何れか一項記載の住宅用雨水貯留システム。
【発明の詳細な説明】
【技術分野】
【０００１】
この発明は、降雨時に、河川や下水道施設への負荷を低減させる住宅用雨水貯留システ
ムに関するものである。
【背景技術】
【０００２】
従来、図１８，図１９に示すような住宅用雨水貯留装置が、知られている（例えば、特
許文献１等参照）。
【０００３】
まず、構成から説明すると、この従来の住宅用雨水貯留装置では、建物１の屋根部２の
軒先に設けられた軒樋４には、縦樋５が接続されている。
【０００４】
この縦樋５の下端５ａは、住宅用雨水貯留装置６のタンク６ａに接続されている。
【０００５】
この住宅用雨水貯留装置６のタンク６ａは、略箱型形状を呈して、建物１の屋外側地表
に載置されて、内部に各々所定の貯留容積を有する貯留槽部７及び、流出抑制槽部８が、
隣接されて形成されると共に、中央壁部９上縁部近傍の連通開口９ａを介して連通されて
いる。
【０００６】
また、前記流出抑制槽部８の上縁部近傍には、余水吐管１０が、接続されていると共に
、前記流出抑制槽部８の下縁部近傍に開口形成されたオリフィス１１によって、連通され
る排水管１２に、溜まった雨水が排水されるように構成されている。
【０００７】
次に、この従来の住宅用雨水貯留装置６の作用について説明する。
【０００８】
このように構成された住宅用雨水貯留装置６では、前記建物１の屋根部２に降った雨水
３は、軒樋４を介して、縦樋５に集められて、この縦樋５内を建物１の外壁部に沿って流
下する。
【０００９】
前記縦樋５内を流下した雨水は、前記住宅用雨水貯留装置６のタンク６ａ内に流入する
。前記タンク６ａ内に流入した雨水は、一旦前記貯留槽部７に溜まり、満水になると、中
央壁部９に開口形成された連通開口９ａから流出抑制槽部８内へ流入する。
【００１０】
前記流出抑制槽部８では、前記オリフィス１１によって、前記排水管１２への流出が抑
制されている。
【００１１】
このため、大雨等によって、短時間で、前記縦樋５内を流下する流量が増大しても、一
度に河川や下水道施設へ放流されることが無い。
【００１２】
従って、河川や下水道施設への負荷を低減させることができる。
【００１３】
前記流出抑制槽部８に一定量の雨水が溜まり、満水状態になると、前記余水吐管１０か
ら、この流出抑制槽部８の雨水が排水されて、前記オリフィス１１から排水される雨水と
共に、前記排水管１２から、一定の時間をおいて徐々に排水される。
【特許文献１】特開２０００−７３４１７公報（図１，図２、段落０００６乃至０００７）
【発明の開示】
【発明が解決しようとする課題】
【００１４】
しかしながら、このような従来の住宅用雨水貯留装置６では、建物１の屋外側地表に略
箱型形状の貯留槽部７及び、流出抑制槽部８を有するタンク６ａを載置しなければならず
、屋外に余剰スペースが確保しにくい住宅では、設置出来ないといった問題があった。
【００１５】
また、住宅用雨水貯留装置６の製造コスト及び搬送等の設置コストが、建物１周囲の外
構工事に加えて、更に、増大してしまうといった問題もあった。
【００１６】
又、通常の住宅であれば、縦樋５は複数本（４〜５本）あり、縦樋体毎にタンク６ａを
設けなければならないか、又は１つのタンク６ａに集水しようとする場合には、複数の縦
樋５を集合させるように配管しなければならず、建物１の外観に悪影響を及ぼすといった
問題も有している。
【００１７】
そこで、この発明は、スペース効率が良好で、安価に施工出来、一般の住宅建物に用い
て好適な住宅用雨水貯留システムを提供することを課題としている。
【課題を解決するための手段】
【００１８】
上記目的を達成するために、請求項１に記載された発明では、宅地内の建物の周囲に設
けられて、建物の屋根部へ降雨した雨水を、縦樋を介して個別雨水マスに集水し、個別雨
水マス間及び宅地内最終マス間を埋設配管で接続することにより、雨水を通過させて宅地
内最終雨水マスへ、雨水を流下させる住宅用雨水貯留システムであって、前記埋設配管に
は、雨水を一定量貯留可能な貯留部を設けた住宅用雨水貯留システムを特徴としている。
【００１９】
また、請求項２に記載されたものは、前記貯留部は、前記埋設配管の流路断面内で、出
口開口部又は入口開口部の断面積を有する前記通過部の上下方向位置に設けられて、該埋
設配管の長手方向に沿って形成されている請求項１記載の住宅用雨水貯留システムを特徴
としている。
【００２０】
更に、請求項３に記載されたものは、前記貯留部は、前記埋設配管の流路断面内で、下
方に位置させることにより、上方に位置する通過部に対して、該通過部の流路断面積を、
前記雨水が通過可能となる一定の断面積に設定した際の該通過部との間に水平境界線を設
け、前記宅地内最終雨水マスに設けられたオーバーフローパイプの下端縁の上下方向位置
と、該水平境界線の上下方向位置とを一致させると共に該宅地内最終雨水マスには、貯留
される雨水を徐々に排水可能なオリフィスを設けた請求項１又は２記載の住宅用雨水貯留
システムを特徴としている。
【００２１】
そして、請求項４に記載されたものは、前記埋設配管は、卵形断面形状を有する卵形配
管である請求項１乃至３のうち何れか一項記載の住宅用雨水貯留システムを特徴としてい
る。
【発明の効果】
【００２２】
このように構成された本願発明の請求項１記載のものは、建物の周囲に埋設される前記
埋設配管に、雨水を一定量貯留可能な貯留部が、設けられているので、別途、従来のよう
な貯留槽部及び流出抑制槽部等を有する住宅用雨水貯留装置を設けること無く、設置出来
る。
【００２３】
このため、製造コストの増大を抑制出来て、スペース効率の良好な住宅用雨水貯留シス
テムを提供することが出来る。
【００２４】
更に、前記埋設配管は、地中に埋設されているので、施工後は外部から見えず、外観品
質も良好なものとすることが出来る。
【００２５】
また、請求項２に記載されたものは、前記貯留部が、前記埋設配管の流路断面内で、出
口開口部又は入口開口部の断面積を有する前記通過部の上下方向位置に設けられて、該埋
設配管の長手方向に沿って形成されている。
【００２６】
このため、前記通過部の横幅と略同様の横幅に、前記貯留部の横幅を略一致させるか或
いは狭く形成することにより、前記埋設配管の埋設用溝を掘削する際に、掘削幅を、拡大
させる必要が無い。
【００２７】
従って、設置コストの増大を抑制出来ると共に、設置スペースも、通常の埋設配管と略
同様に、前記建物の周囲のデッドスペースを用いて設けることができるので、充分な貯留
量の確保が可能となり、スペース効率も良好である。
【００２８】
更に、請求項３に記載されたものは、前記埋設配管の貯留部に、雨水の貯留が開始され
ると、前記水平境界線位置までは、該埋設配管に接続される宅地内最終雨水マス内の水位
の上昇と共に、水位を上昇させて、雨水を一旦、貯留させることができる。
【００２９】
このため、前記個別雨水マスに接続される前記埋設配管の数量及び長さを増大させるこ
とにより、容易に雨水の貯留量を増大させることが出来る。
【００３０】
前記埋設配管内の貯留量が、前記水平境界線位置を超えると、前記宅地内最終雨水マス
に設けられたオーバーフローパイプの下端縁の上下方向位置を超えるので、降雨開始から
時間をおいて、排水が開始される。従って、河川や下水道施設への負荷を低減させること
ができる。
【００３１】
排水により、再び、前記埋設配管内の貯留量が、前記水平境界線位置まで、戻ると、前
記オーバーフローパイプからの排水は停止される。
【００３２】
そして、前記宅地内最終雨水マスに設けられたオリフィスから、貯留された雨水が徐々
に排水されるので、一定時間経過後は、前記埋設配管及び個別雨水マス内の雨水は、完全
に排水されて再度、雨水が流入する際の貯留量が確保される。
【００３３】
更に、請求項４記載のものは、前記埋設配管として、卵形断面形状を有する卵形配管を
用いることにより、横幅方向の掘削幅の増大を抑制しつつ、前記流路断面積を増大させて
、前記通過部及び貯留部として、必要な容量を得ることが出来る。
【００３４】
しかも、先細り形状の端縁部を、下方に向けて設置することにより、流下する雨水の流
速を増大させて、混入する異物の滞留を防止することが出来る。
【発明を実施するための最良の形態】
【００３５】
次に、図面に基づいて、この発明を実施するための最良の実施の形態の住宅用雨水貯留
システムを説明する。
【００３６】
なお、前記従来例と同一乃至均等な部分については同一符号を付して説明する。
【００３７】
図１乃至図１７は、この発明の実施の形態の住宅用雨水貯留システムを説明するもので
ある。
【００３８】
まず、構成を説明すると、この発明の実施の形態では、図２，図３に示すような建物と
しての住宅１３が、宅地１４内に設けられている。この住宅１３の周囲には、雨水用埋設
配管としての卵形配管１８…等が設けられている。
【００３９】
これらの卵形配管１８…等は、住宅１３の屋根部１５へ降雨した雨水が、縦樋１９…を
介して、個別雨水マス１６…に各々集水された後、これらの個別雨水マス１６，１６間及
びこれらの個別雨水マス１６…と、宅地内最終雨水マス１７間とを接続することにより、
内部の通過部内へこれらの雨水を通過させて、前記宅地内最終雨水マス１７へ、雨水が流
下されるように構成されている。
【００４０】
更に、この宅地内最終雨水マス１７は、道路２０に埋設される公共用雨水マス２１を介
して、雨水本管２２と接続されていて、雨水が、放流可能となるように構成されている。
【実施例１】
【００４１】
図１乃至図５は、この発明の実施の形態の実施例１の住宅用雨水貯留システムを示すも
のである。
【００４２】
なお、前記従来例と同一乃至均等な部分については、同一符号を付して説明する。
【００４３】
まず、構成から説明すると、この実施例１の住宅用雨水貯留システムでは、前記埋設配
管として、中空の卵形断面形状を有する複数の卵形配管１８…が用いられている。
【００４４】
なお、図１中左側の卵形配管１８Ｌは、図中右側の卵形配管１８と、長手方向長さ寸法
を相違させて、機能としては、略同一であるため、主に、卵形配管１８を用いて、構成、
及び作用効果を詳述する。
【００４５】
そして、これらの卵形配管１８が、両端縁に設けられて、入口開口部２５ａ及び出口開
口部２６ａを各々設けた開口径変換継手部材２５，２６を介して、前記上流側の個別雨水
マス１６又は下流側の個別雨水マス１６及び宅地内最終雨水マス１７に各々一定の勾配（
この実施例１では、１００：１勾配）で、接続されている。
【００４６】
この卵形配管１８は、図５に示すように、先細り形状の下端縁部１８ａを、下方に向け
て設置することにより、外径では、横幅Ｈ１を、オーバーフローパイプ２３等の他の配管
（径＝約１００ｍｍ）の横幅Ｈ２と、略同一寸法としている。
【００４７】
この卵形配管１８は、内部の１つの空間が、流路断面で、上，下に機能的に分割されて
いる。
【００４８】
即ち、この実施例１では、図５に示すように、雨水を通過させる通過部１８ｂと、雨水
を一定量貯留可能な貯留部１８ｃとに、図５中一点鎖線で示す位置に仮想的に設けられる
水平境界線２４を挟んで、上，下に機能的に分割されている。
【００４９】
このうち、前記通過部１８ｂは、前記住宅１の屋根部１５へ降雨した雨水を、縦樋１９
を介して集水した後、前記個別雨水マス１６から下流側に設けられた隣接する他の個別雨
水マス１６又は、宅地内最終雨水マス１７へ通過させるため、前記出口開口部２６ａ又は
入口開口部２５ａの流路断面積と略同一の流路断面積を有して、雨水が通過可能となる最
低断面積を超える断面積となるように設定されている。
【００５０】
また、前記貯留部１８ｃは、前記卵形配管１８の流路断面内で、前記通過部１８ｂの上
下方向で下方位置に設けられて、この卵形配管１８の長手方向に沿って、略全長に渡り形
成されている。
【００５１】
更に、この貯留部１８ｃは、前記卵形配管１８の流路断面内に設けられていて、前記水
平境界線２４を挟んで、下方に位置されることにより、上方に位置する通過部１８ｂと共
に、合計断面積が、前記卵形配管１８の流路断面積となるように構成されている。
【００５２】
すなわち、前記卵形配管１８の流路断面積から、前記雨水が通過可能となる一定の断面
積（例えば、この実施例１では、一般的な径１００ｍｍの塩ビ配管の流路断面積と略同じ
流路断面積）に設定された通過部１８ｂの流路断面積を減算して、前記貯留部１８ｃの容
量が略決定されている。
【００５３】
そして、この実施例１では、宅地１４内の全ての前記卵形配管１８…の合計貯留量が、
約１立方メートルを超えるように、設定されている。
【００５４】
更に、この実施例１の卵形配管１８では、前記通過部１８ｂの上面部に、空気抜き孔１
８ｄが、設けられている。
【００５５】
この空気抜き孔１８ｄでは、空気が通過部１８ｂ内外へ通過可能に構成されることによ
り、水位の上昇に伴って、通過部１８ｂ内の空気を、外部に排出すると共に、水位の下降
に伴って外部から空気を卵形配管１８内に吸入して、卵形配管１８内の空気の圧力変動が
、抑制されるように構成されている。
【００５６】
また、前記開口径変換継手部材２５，２６は、各々前記卵形配管１８の端部側に装着さ
れる一端の接続部形状を、前記卵形配管１８の形状に適合させていると共に、個別雨水マ
ス１６に接続される他端の接続部形状を、一般的な、例えば、径１００ｍｍの塩ビ配管の
端縁部形状と略同一形状としている。
【００５７】
更に、前記宅地内最終雨水マス１７と、前記道路２０に埋設される公共用雨水マス２１
との間は、前記宅地内最終雨水マス１７から延設されたオーバーフローパイプ２３によっ
て接続されている。
【００５８】
このオーバーフローパイプ２３の前記宅地内最終雨水マス１７への接続位置では、図５
に示すように、このオーバーフローパイプ２３の下端縁２３ａの上下方向位置と、前記水
平境界線２４の上下方向位置とが、一致するように構成されている。
【００５９】
更に、図１に示すように、前記宅地内最終雨水マス１７と、前記道路２０に埋設される
公共用雨水マス２１との間には、この宅地内最終雨水マス１７内に貯留される雨水を徐々
に排水可能なオリフィス管２７が、前記宅地内最終雨水マス１７の下縁部近傍から延設さ
れて設けられている。
【００６０】
そして、前記公共用雨水マス２１と雨水本管２２との間には、排水管２９が設けられて
いて、雨水が、放流可能となるように構成されている。
【００６１】
次に、この実施例１の住宅用雨水貯留システムの作用について説明する。
【００６２】
この実施例１の住宅用雨水貯留システムでは、降雨によって、前記住宅１３の屋根部１
５に降った雨水３…は、軒樋４…を介して、縦樋１９…に集められて、この縦樋１９内を
住宅１３の外壁部に沿って流下する。
【００６３】
前記縦樋１９内を流下した雨水は、前記個別雨水マス１６…に各々流入して、水位を上
昇させる。この際、前記個別雨水マス１６…に、開口径変換継手部材２５等によって、接
続された前記卵形配管１８…内でも、前記個別雨水マス１６…内に流入した雨水によって
水位が上昇する。
【００６４】
これらの流入した雨水によって、前記卵形配管１８の貯留部１８ｃに、雨水の貯留が開
始されると、図５に示す前記水平境界線２４位置までは、この卵形配管１８に接続される
個別雨水マス１６内の水位の上昇と共に、水位が上昇されて、雨水が一旦、貯留される。
【００６５】
このため、前記個別雨水マス１６に接続される前記卵形配管１８…の数量及び長さを増
大させることにより、容易に雨水の貯留量を増大させることが出来る。
【００６６】
また、この卵形配管１８と、前記宅地内最終雨水マス１７との間も、開口径変換継手部
材２６の出口開口部２６ａを介して接続されているので、この卵形配管１８内の水位の上
昇と共に、接続される宅地内最終雨水マス１７内でも、水位が上昇されて、雨水が一旦、
貯留される。
【００６７】
前記卵形配管１８内の貯留量が、前記水平境界線２４位置を超えると、前記宅地内最終
雨水マス１７に設けられたオーバーフローパイプ２３の下端縁２３ａの上下方向位置を、
宅地内最終雨水マス１７内の水位も超えるので、降雨開始から時間をおいて、前記公共用
雨水マス２１及び雨水本管２２へ、雨水が排水される。
【００６８】
従って、河川や下水道施設への負荷を低減させることができる。
【００６９】
この雨水の排水により、再び、前記卵形配管１８内の貯留量が、前記水平境界線２４位
置まで、戻ると、前記オーバーフローパイプ２３の宅地内最終雨水マス１７への接続部分
でも、下端縁２３ａ位置を下回る。このため、前記オーバーフローパイプ２３からの排水
は停止される。
【００７０】
そして、前記宅地内最終雨水マス１７に設けられたオリフィス管２７から、貯留された
雨水が徐々に排水されるので、一定時間経過後は、前記卵形配管１８…及び各個別雨水マ
ス１６…内の雨水は、完全に排水されて再度、雨水が流入する際の貯留量が確保される。
【００７１】
このように、前記住宅１３の周囲に埋設される前記卵形配管１８…に、雨水を一定量貯
留可能な貯留部１８ｃ…が、各々設けられているので、別途、図１８及び図１９に示す従
来のような貯留槽部７及び流出抑制槽部８等を有する住宅用雨水貯留装置６のタンク６ａ
を設ける必要が無い。
【００７２】
しかも、この実施例１では、前記貯留部１８ｃが、前記卵形配管１８の流路断面内で、
出口開口部２６ａ又は入口開口部２５ａと略同じ断面積を有する前記通過部１８ｂの上下
方向位置に、上，下に並べられて設けられていて、しかも、この卵形配管１８の長手方向
に沿って、長手状に形成されている。
【００７３】
このため、前記通過部１８ｂの横幅と略同様の横幅に、前記貯留部１８ｃの横幅Ｈ１を
略一致させるか或いは狭く形成することにより、前記卵形配管１８の埋設用溝を、宅地１
４内の住宅１３の周囲に掘削する際に、掘削幅を、従来の通常用いられる、例えば、径が
、約１００ｍｍ程度の埋設配管と同様の掘削幅でよく、このような従来の埋設配管に比し
て、拡大させる必要が無い。
【００７４】
従って、設置コストの増大を抑制出来ると共に、設置スペースも、通常の埋設配管と略
同様に、前記住宅１３の周囲のデッドスペースを用いて設けることができるので、スペー
ス効率も良好である。
【００７５】
更に、前記卵形配管１８は、地中に埋設されているので、施工後は外部から見えず、外
観品質も良好なものとすることが出来る。
【００７６】
そして、前記埋設配管として、卵形断面形状を有する卵形配管１８を用いることにより
、横幅方向の掘削幅の増大を抑制しつつ、前記流路断面積を増大させて、前記通過部１８
ｂ及び貯留部１８ｃとして、必要な容量を得ることが出来る。
【００７７】
しかも、先細り形状の下端縁部１８ａを、下方に向けて設置することにより、流下する
雨水の流速を増大させて、混入する異物の滞留を防止することが出来る。
【００７８】
このように、住宅１３の周囲に埋設される前記卵形配管１８に、雨水を一定量貯留可能
な貯留部１８ｃが、設けられているので、別途、図１８及び図１９に示す従来のような貯
留槽部７及び流出抑制槽部８等を有する住宅用雨水貯留装置６のタンク６ａを設ける必要
が無い。
【００７９】
例えば、従来の住宅用雨水貯留装置６では、建物の屋根部３の周囲に設けられる軒樋４
から１つのタンク６ａに集水するためには、縦樋５を集合させるように配管しなければな
らず、充分な集水を行うためには、複数のタンク６ａ，６ａを建物１の外部に設置しなけ
ればならない虞もあった。
【００８０】
これに比して、この実施例１では、図１及び図３に示すように、住宅１３の周囲に前記
卵形配管１８…を埋設して、周囲に点在する個別雨水マス１６…に、縦樋１９…を各々接
続することにより、少ない面積に分割された屋根部１５の雨水を分散させた状態で、これ
らの個別雨水マス１６に流下させてから、前記卵形配管１８…によって集水出来る。
【００８１】
このため、製造コストの増大を抑制出来て、スペース効率の良好な住宅用雨水貯留シス
テムが提供されると共に、前記卵形配管１８…は、地中に埋設されているので、施工後は
外部から見えず、外観品質も良好なものとすることが出来る。
【００８２】
しかも、この実施例１では、前記一本の卵形配管１８の内部空間に、通過部１８ｂ及び
貯留部１８ｃが設けられているので、部品点数を増加させることなく、製造コストの増大
を抑制出来る。
【００８３】
更に、前記卵形配管１８の両端部に設けられる開口径変換継手部材２５，２６によって
、個別雨水マス１６に接続される他端の接続部形状が、一般的な径１００ｍｍの塩ビ配管
の端縁部形状と略同一形状となるように構成されている。
【００８４】
このため、一般的な径１００ｍｍの塩ビ配管の端縁部が、接続可能に構成されている個
別雨水マス１６を、そのまま使用出来るので、更に、製造コストの上昇を抑制出来る。
【実施例２】
【００８５】
図６は、この発明の実施例２の住宅用雨水貯留システムを示すものである。なお、前記
実施例１と同一乃至均等な部分については同一符号を付して説明する。
【００８６】
まず、構成から説明すると、この実施例２では、埋設配管としての卵形配管１８，１８
が、長手方向の長さ寸法Ｌ１，Ｌ２…を、全て同一寸法となるように構成されている。
【００８７】
そして、一部の開口径変換継手部材２５の入口開口部２５ａと、前記個別雨水マス１６
との間には、通常の径（この実施例２では、直径約１００ｍｍ）の塩ビ配管３０が、連結
されている。
【００８８】
このように構成された実施例２の住宅用雨水貯留システムでは、前記実施例１の作用効
果に加えて、更に、前記卵形配管１８，１８…の長手方向の長さ寸法Ｌ１，Ｌ２…が、全
ての卵形配管１８…で同一寸法となるように構成されている。
【００８９】
このため、更に、製造コストの増大を抑制出来る。しかも、前記塩ビ配管３０は、前記
開口径変換継手部材２５の入口開口部２５ａと、前記個別雨水マス１６との間の距離に合
わせて、容易に長さ寸法を変更可能であるので、更に、施工性が良好である。
【００９０】
他の構成、及び作用効果については、前記実施例１と略同様であるので、説明を省略す
る。
【実施例３】
【００９１】
図７は、この発明の実施例３の住宅用雨水貯留システムを示すものである。なお、前記
実施例１と同一乃至均等な部分については同一符号を付して説明する。
【００９２】
まず、構成から説明すると、この実施例３では、前記卵形配管１８と、個別雨水マス１
６との間、及び前記卵形配管１８と、宅地内最終雨水マス１７との間に設けられた出口開
口部２６ａを有する開口径変換継手部材２６に、各々、前記卵形配管１８の貯留部１８ｃ
と、個別雨水マス１６内及び宅地内最終雨水マス１７内とを連通するサイフォン管部材３
１，３１が設けられている。
【００９３】
次に、この実施例３の住宅用雨水貯留システムの作用について説明する。
【００９４】
このように構成された実施例３の住宅用雨水貯留システムでは、前記サイフォン管部材
３１，３１によって、貯留部１８ｃ内に貯留された雨水が、個別雨水マス１６内又は宅地
内最終雨水マス１７内の水位の低下に伴って、個別雨水マス１６内又は宅地内最終雨水マ
ス１７内へ移送される。
【００９５】
このため、前記開口径変換継手部材２６に形成される出口開口部２６ａの上下方向位置
が高く設定されていても、次回の降雨までに、前記貯留部１８ｃ内に貯留された雨水が、
個別雨水マス１６内及び宅地内最終雨水マス１７内に移送されて、この貯留部１８ｃの雨
水の水位を貯留可能なレベルまで低下させることが出来る。
【００９６】
従って、更に、貯留部１８ｃの容積を増大させることが可能となる。
【００９７】
他の構成、及び作用効果については、前記実施例１と略同様であるので、説明を省略す
る。
【実施例４】
【００９８】
図８は、この発明の実施例４の住宅用雨水貯留システムに用いられる埋設配管としての
小判形配管１１８を示すものである。なお、前記実施例１乃至３と同一乃至均等な部分に
ついては同一符号を付して説明する。
【００９９】
まず、構成から説明すると、この実施例４では、上，下端部を、略同一曲率半径の半円
形状として、中空の小判形形状を呈するように、前記小判形配管１１８の断面形状が、構
成されている。
【０１００】
そして、横幅Ｈ３を、前記オーバーフローパイプ２３等の他の配管（径＝約１００ｍｍ
）の横幅Ｈ２と、略同一寸法としている。
【０１０１】
この小判形配管１１８は、内部の一の空間が、流路断面で、上，下に機能的に分割され
ている。即ち、この実施例４では、図８に示すように、雨水を通過させる通過部１１８ｂ
と、雨水を一定量貯留可能な貯留部１１８ｃとに、図８中一点鎖線で示す位置の水平境界
線２４によって分割されている。
【０１０２】
このうち、前記通過部１１８ｂは、雨水が通過可能となる一定の最低断面積を超える断
面積に設定されている。
【０１０３】
また、前記貯留部１１８ｃは、前記小判形配管１１８の流路断面内で、前記通過部１１
８ｂの上下方向で下方位置に設けられて、この小判形配管１１８の長手方向に沿って、略
全長に渡り形成されている。
【０１０４】
次に、この実施例４の作用について説明する。
【０１０５】
このように構成された実施例４の住宅用雨水貯留システムでは、前記実施例１乃至３の
作用効果に加えて、更に、前記小判形配管１１８の内部の空間に設けられた通過部１１８
ｂが、断面形状で、前記通過部１１８ｂを構成する上端部と、略同一曲率半径を有する半
円形状の下端部を有して構成されている。
【０１０６】
このため、更に、貯留部１１８ｃの貯留容積を増大させることができる。
【０１０７】
また、この小判形配管１１８の横幅Ｈ３が、前記オーバーフローパイプ２３等の他の配
管（径＝約１００ｍｍ）の横幅Ｈ２と、略同一寸法となるように構成されている。
【０１０８】
このため、埋設用溝の掘削幅を、大きく設定する必要がなく、従来の例えば、径が、約
１００ｍｍ程度の埋設配管と同様の掘削幅で良い。
【０１０９】
他の構成、及び作用効果については、前記実施例１乃至３と略同様であるので、説明を
省略する。
【実施例５】
【０１１０】
図９は、この発明の実施例５の住宅用雨水貯留システムに用いられる埋設配管としての
複合配管２１８を示すものである。なお、前記実施例１乃至４と同一乃至均等な部分につ
いては同一符号を付して説明する。
【０１１１】
まず、構成から説明すると、この実施例５の複合配管２１８では、雨水を通過させる通
過配管２１８ｂと、この通過配管２１８ｂよりも下方に位置して、一旦雨水を貯留する貯
留配管２１８ｃとが、上，下に一対並設されて、機能的に役割が分担されて構成されてい
る。
【０１１２】
このうち、前記通過配管２１８ｂは、中空円管状を呈して、外径では、横幅を、オーバ
ーフローパイプ２３等の他の配管（径＝約１００ｍｍ）の横幅Ｈ２と、略同一寸法として
いる。
【０１１３】
この通過配管２１８ｂの下流側開口部の下縁部２１８ｄの上下方向位置は、オーバーフ
ローパイプ２３の前記宅地内最終雨水マス１７への接続位置におけるこのオーバーフロー
パイプ２３の下端縁２３ａの上下方向位置と、一致するように構成されている。
【０１１４】
また、この実施例５の前記貯留配管２１８ｃは、中空円管状を呈して、外径では、横幅
を、前記通過配管の横幅と、略同一寸法か或いは大きく（径＝約１５０〜３００）なるよ
うに設定されて構成されている。
【０１１５】
そして、各々前記複合配管２１８の両端部には、前記開口変換継手部材１２５，１２５
が各々装着されていて、前記通過配管２１８ｂ及び貯留配管２１８ｃと、前記個別雨水マ
ス１６又は、宅地内最終雨水マス１７とを連通させるように接続させている。
【０１１６】
次に、この実施例５の住宅用雨水貯留システムの作用について説明する。
【０１１７】
この実施例５の住宅用雨水貯留システムでは、前記実施例１乃至４の作用効果に加えて
更に、降雨によって、雨水３…が、前記個別雨水マス１６…に各々流入して、水位が上昇
すると、この個別雨水マス１６…に、開口変換継手部材１２５によって、接続された前記
複合配管２１８のうち、まず、貯留配管２１８ｃ内でも、水位が上昇する。
【０１１８】
この際、前記宅地内最終雨水マス１７内でも、雨水の貯留が開始されるが、水位が、前
記オーバーフローパイプ２３の下端縁２３ａに到達するまでは、前記オリフィス管２７に
よる少量の排水が、前記公共用雨水マス２１に対して行われる。
【０１１９】
そして、これらの複合配管２１８の上流側で、前記個別雨水マス１６に接続される開口
変換継手部材１２５によって、前記複合配管２１８の通過配管２１８ｂに分流されるまで
、水位が上昇すると、前記宅地内最終雨水マス１７内でも、雨水の水位が、前記オーバー
フローパイプ２３の下端縁２３ａ位置を超えて、このオーバーフローパイプ２３を介して
、公共用雨水マス２１へ、雨水の排水が行われる。
【０１２０】
このように、降雨開始から時間をおいて、前記公共用雨水マス２１及び雨水本管２２へ
、雨水が排水される。従って、河川や下水道施設への負荷を低減させることができる。
【０１２１】
また、前記複合配管２１８に用いられる前記通過配管２１８ｂ及び、貯留配管２１８ｃ
は、円管状を呈していて、通常用いられる安価な塩ビ配管等によって構成することができ
る。
【０１２２】
このため、更に、製造コストの上昇を抑制することができる。
【０１２３】
他の構成、及び作用効果については、前記実施例１乃至４と略同様であるので、説明を
省略する。
【実施例６】
【０１２４】
図１０は、この発明の実施例６の住宅用雨水貯留システムに用いられる埋設配管として
の複合配管２１８（中空円管状）を示すものである。なお、前記実施例５と同一乃至均等
な部分については同一符号を付して説明する。
【０１２５】
まず、構成から説明すると、この実施例６の住宅用雨水貯留システムでは、前記複合配
管２１８の前記通過配管２１８ｂ及び貯留配管２１８ｃの各両端部は、直接、前記個別雨
水マス１６又は、宅地内最終雨水マス１７内と連通するように接続されている。
【０１２６】
このうち、前記通過配管２１８ｂの下流側開口部の下縁部２１８ｄの上下方向位置は、
オーバーフローパイプ２３の前記宅地内最終雨水マス１７への接続位置におけるこのオー
バーフローパイプ２３の下端縁２３ａの上下方向位置と、一致するように構成されている
。
【０１２７】
次に、この実施例６の住宅用雨水貯留システムの作用について説明する。
【０１２８】
この実施例６の住宅用雨水貯留システムでは、前記実施例１乃至５の作用効果に加えて
更に、前記実施例５で用いられている複合配管２１８の両端部の前記開口変換継手部材１
２５，１２５が、不要となるので、更に、部品点数を減少させて、製造コストの上昇を抑
制できる。
【０１２９】
他の構成、及び作用効果については、前記実施例１乃至５と略同様であるので、説明を
省略する。
【実施例７】
【０１３０】
図１１及び図１２は、この発明の実施例７の住宅用雨水貯留システムに用いられる埋設
配管としての貯留カバー付き配管３１８を示すものである。なお、前記実施例１乃至６と
同一乃至均等な部分については同一符号を付して説明する。
【０１３１】
まず、構成から説明すると、この実施例７の貯留カバー付き配管３１８には、前記個別
雨水マス１６と、前記個別雨水マス１６又は、前記宅地内最終雨水マス１７との間に、一
定の勾配（この実施例７では、１００：１勾配）で、接続される通過配管３１８ｂが、設
けられている。
【０１３２】
この通過配管３１８ｂは、図１２に示すように、中空円管状を呈して、パイプ内外の雨
水を挿通自在とする複数の連通孔３１８ｅ…が、側壁面の内外を連通するように開口形成
されている。
【０１３３】
この通過配管３１８ｂの周囲には、雨水を貯留可能な容積を有する卵形貯留カバー配管
３１８ｃが設けられていて、先細り形状の下端縁部１８ａ近傍内側に、前記通過配管３１
８ｂが固定されるように装着されている。
【０１３４】
そして、この卵形貯留カバー配管３１８ｃ内の空間によって構成されて、一旦、雨水を
貯留する貯留部１８ｃが、この通過配管３１８ｂと上下方向で並設されるように構成され
ている。
【０１３５】
次に、この実施例７の住宅用雨水貯留システムの作用について説明する。
【０１３６】
この実施例７の住宅用雨水貯留システムでは、降雨によって、雨水３…が前記個別雨水
マス１６…に各々流入して、水位を上昇させる。
【０１３７】
この際、前記通過配管３１８ｂ内を、下流側の個別雨水マス１６又は、前記宅地内最終
雨水マス１７へ向けて流下する雨水の一部は、前記卵形貯留カバー配管３１８ｃ内の空間
に形成された貯留部１８ｃへ、前記複数の連通孔３１８ｅ…を介して、浸出する。
【０１３８】
このため、この卵形貯留カバー配管３１８ｃの貯留部１８ｃ内の雨水の水位は、上昇を
開始して、雨水が一旦、貯留される。
【０１３９】
このように、下流側の個別雨水マス１６又は、前記宅地内最終雨水マス１７に到達する
雨水は、連通孔３１８ｅ…を介して浸出せずに、前記通過配管３１８ｂ内に留まった雨水
に限定されるので、降雨開始から時間をおいて、前記公共用雨水マス２１及び雨水本管２
２へ、雨水が排水される。
【０１４０】
従って、河川や下水道施設への負荷を低減させることができる。
【０１４１】
雨水の排水により、再び、前記通過配管３１８ｂ内の水位が下がり始めると、前記卵形
貯留カバー配管３１８ｃ内の雨水は、前記貯留部１８ｃから、前記複数の連通孔３１８ｅ
…を介して、前記通過配管３１８ｂ内に浸入して排水される。
【０１４２】
この際、複数の連通孔３１８ｅ…の通過流量を所定量に設定しておけば、急激に、前記
通過配管３１８ｂ内に、雨水を浸入させる虞がないので、この点においても、河川や下水
道施設への負荷を低減させることができる。
【０１４３】
他の構成、及び作用効果については、前記実施例１乃至６と略同様であるので、説明を
省略する。
【実施例８】
【０１４４】
図１３は、この発明の実施例８の住宅用雨水貯留システムを示すものである。なお、前
記実施例１乃至７と同一乃至均等な部分については同一符号を付して説明する。
【０１４５】
まず、構成から説明すると、この実施例８では、前記実施例３のサイフォン管３１に代
えて、前記卵形配管１８と、前記個別雨水マス１６又は、前記宅地内最終雨水マス１７と
を接続する開口径変換継手部材２２６には、この卵形配管１８の下端縁部１８ａ近傍と、
前記個別雨水マス１６又は、前記宅地内最終雨水マス１７内とを略水平に連通させるオリ
フィス管２２６ａが、設けられている。
【０１４６】
次に、この実施例８の住宅用雨水貯留システムの作用について説明する。
【０１４７】
このように構成された実施例８の住宅用雨水貯留システムは、前記オリフィス管２２６
ａによって、前記卵形配管１８の貯留部１８ｃ内に貯留された雨水が、個別雨水マス１６
内又は宅地内最終雨水マス１７内の水位の低下に伴って、個別雨水マス１６内又は宅地内
最終雨水マス１７内へ徐々に移送される。
【０１４８】
従って、開口径変換継手部材２２６の出口開口部２６ａの下端縁位置を上方に設定して
、更に、貯留部１８ｃの容積を増大させることが可能となる。
【０１４９】
他の構成、及び作用効果については、前記実施例１乃至７と略同様であるので、説明を
省略する。
【実施例９】
【０１５０】
図１４乃至図１６は、この発明の実施例９の住宅用雨水貯留システムを示すものである
。なお、前記実施例１乃至８と同一乃至均等な部分については同一符号を付して説明する
。
【０１５１】
まず、構成から説明すると、この実施例９の前記卵形配管１８の下流側で、前記個別雨
水マス１６又は宅地内最終雨水マス１７との間の接続に用いられる開口径変換継手部材３
２６には、前記実施例８のオリフィス管２２６ａに相当するオリフィス管部３２６ａが、
この開口径変換継手部材３２６の内部に穿設形成されている。
【０１５２】
また、この開口径変換継手部材３２６には、前記卵形配管１８の通過部１８ｂ下縁の水
平境界線２４位置と下縁部３２６ｃの上下方向位置を一致させる連通孔３２６ｂが開口形
成されている。
【０１５３】
そして、前記卵形配管１８側の端縁に設けられた接続フランジ部３２６ｄを、卵形配管
１８の下流側の端縁部に外嵌させて接続すると共に、前記個別雨水マス１６又は宅地内最
終雨水マス１７側の接続端縁部３２６ｅを、これらの個別雨水マス１６又は宅地内最終雨
水マス１７に接続させて、前記卵形配管１８を連設するように構成されている。
【０１５４】
次に、この実施例９の住宅用雨水貯留システムの作用について説明する。
【０１５５】
このように構成された実施例９の住宅用雨水貯留システムは、前記実施例１乃至８の作
用効果に加えて、更に、前記開口径変換継手部材３２６のオリフィス管部３２６ａによっ
て、前記卵形配管１８の貯留部１８ｃ内に貯留された雨水が、個別雨水マス１６内又は宅
地内最終雨水マス１７内の水位の低下に伴って、個別雨水マス１６内又は宅地内最終雨水
マス１７内へ徐々に移送される。
【０１５６】
従って、開口径変換継手部材３２６の連通孔３２６ｂの下縁部３２６ｃ位置を上方に設
定して、更に、貯留部１８ｃの容積を増大させることが可能となる。
【０１５７】
しかも、前記実施例８に比して、前記開口径変換継手部材３２６内部に一体となるよう
に、前記オリフィス管部３２６ａが形成されているので、部品点数を削減して、更に、製
造コストの増大を抑制することができる。
【０１５８】
他の構成、及び作用効果については、前記実施例１乃至８と略同様であるので、説明を
省略する。
【実施例１０】
【０１５９】
図１７は、この発明の実施例１０の住宅用雨水貯留システムに用いられる開口径変換継
手部材４２６を示すものである。なお、前記実施例１乃至９と同一乃至均等な部分につい
ては同一符号を付して説明する。
【０１６０】
まず、構成から説明すると、この実施例１０の開口径変換継手部材４２６では、前記実
施例８のオリフィス管２２６ａに相当するオリフィス管部４２６ａが、この開口径変換継
手部材４２６の内部に穿設形成されている。
【０１６１】
また、この開口径変換継手部材４２６には、図示省略の前記卵形配管１８の通過部１８
ｂ下縁の水平境界線２４位置と下縁部４２６ｃの上下方向位置を一致させる連通孔４２６
ｂが開口形成されている。
【０１６２】
この連通孔４２６ｂは、この開口径変換継手部材４２６の内部で、前記オリフィス管部
４２６ａと合流することにより、前記個別雨水マス１６又は宅地内最終雨水マス１７側に
形成された円形接続端縁部４２６ｅ内側の開口部４２６ｆから雨水を排水可能とするよう
に構成されている。
【０１６３】
そして、前記卵形配管１８側の端縁に設けられた接続フランジ部４２６ｄが、卵形配管
１８の下流側の端縁部に外嵌されて接続されると共に、前記個別雨水マス１６又は宅地内
最終雨水マス１７側の円形接続端縁部４２６ｅを、これらの個別雨水マス１６又は宅地内
最終雨水マス１７に接続させて、前記卵形配管１８を連設するように構成されている。
【０１６４】
次に、この実施例１０の住宅用雨水貯留システムの作用について説明する。
【０１６５】
このように構成された実施例１０の住宅用雨水貯留システムでは、前記実施例９の作用
効果に加えて、更に、前記個別雨水マス１６又は宅地内最終雨水マス１７側の円形接続端
縁部４２６ｅが、前記連通孔４２６ｂと、前記オリフィス管部４２６ａとを、この開口径
変換継手部材４２６の内部で合流させることにより、１つの出口部となると共に、例えば
、通常用いられる塩ビ配管（径＝約１００ｍｍ）と略同一の径を有する円形形状とするこ
とが出来る。
【０１６６】
このため、接続される前記個別雨水マス１６又は宅地内最終雨水マス１７の接続口を、
通常用いられる塩ビ配管を接続させる場合と、略同一形状のまま使用出来るので、更に、
製造コストの増大を抑制出来る。
【０１６７】
他の構成、及び作用効果については、前記実施例１乃至９と略同様であるので、説明を
省略する。
【０１６８】
以上、図面を参照して、本発明の実施の形態及び実施例１乃至１０を詳述してきたが、
具体的な構成は、この実施の形態に限らず、本発明の要旨を逸脱しない程度の設計的変更
は、本発明に含まれる。
【０１６９】
即ち、実施例１〜１０中の雨水配管は有孔管でもよく、その際には、貯留された雨水は
徐々に地中へ浸透するものとなる。
【０１７０】
例えば、前記実施例１の卵形配管１８に、図５中二点鎖線で示すように、前記水平境界
線２４に沿わせて、板状の水平隔壁部材１２４を設けても良い。
【０１７１】
また、前記実施例１乃至１０では、前記卵形配管１８内の貯留量が、前記水平境界線２
４位置を超えると、前記公共用雨水マス２１及び雨水本管２２へ、雨水が排水されるよう
に、前記宅地内最終雨水マス１７に、オーバーフローパイプ２３が設けられているが、特
にこれに限らず、例えば、フロート部材等を用いて、一定貯留量に到達するまで、弁体を
閉塞状態に保持すると共に、一定貯留量に到達することにより、雨水が排水されるもので
あるならば、どのような構成であってもよい。
【０１７２】
また、前記卵形配管１８等、埋設配管の形状も、断面真円形状を含む円筒形状、楕円筒
形状、角筒形状等の断面多角形形状及びこれらの組み合わせ等、どのような形状、数量、
及び材質によって構成されていても、何れかの埋設配管に、雨水を一定量貯留可能な貯留
部が、設けられているものであればよい。
【０１７３】
更に、図２に示すように、前記実施例１では、宅地内最終雨水マス１７と、公共用雨水
マス２１との間に、オリフィス管２７を設けているが、特にこれに限らず、例えば、前記
公共用雨水マス２１と前記雨水本管２２との間に、図中二点鎖線で示すように、オリフィ
ス管２８を設けてもよい。この場合、前記公共用雨水マス２１が、前記宅地内最終雨水マ
ス１７と略同様の機能を発揮して、前記排水管２９が、前記オーバーフローパイプ２３と
して機能する。
【図面の簡単な説明】
【０１７４】
【図１】この発明の実施の形態の実施例１の住宅用雨水貯留システムで、要部の構成を説明する地中埋設部分の縦断面図である。
【図２】実施例１の住宅用雨水貯留システムで、全体の構成を説明する宅地内建物周縁の一部断面斜視図である。
【図３】実施例１の住宅用雨水貯留システムで、全体の構成を説明する宅地内建物周縁の模式的な平面図である。
【図４】実施例１の住宅用雨水貯留システムに用いられる卵形配管及び継手部材の一部断面斜視図である。
【図５】実施例１の住宅用雨水貯留システムに用いられる卵形配管を説明する図１中Ａ−Ａ線に沿った位置での断面図である。
【図６】この発明の実施の形態の実施例２の住宅用雨水貯留システムで、要部の構成を説明する地中埋設部分の縦断面図である。
【図７】この発明の実施の形態の実施例３の住宅用雨水貯留システムで、要部の構成を説明する地中埋設部分の縦断面図である。
【図８】実施例４の住宅用雨水貯留システムに用いられる小判形配管の断面図である。
【図９】実施例５の住宅用雨水貯留システムで、要部の構成を説明する地中埋設部分の縦断面図である。
【図１０】実施例６の住宅用雨水貯留システムで、要部の構成を説明する地中埋設部分の縦断面図である。
【図１１】実施例７の住宅用雨水貯留システムで、地中埋設部分の構成を説明する縦断面図である。
【図１２】実施例７の住宅用雨水貯留システムに用いられる小判形配管で、図１１中Ｂ−Ｂ線に沿った位置での断面図である。
【図１３】実施例８の住宅用雨水貯留システムで、要部の構成を説明する地中埋設部分の縦断面図である。
【図１４】実施例９の住宅用雨水貯留システムで、地中埋設部分の構成を説明する縦断面図である。
【図１５】実施例９の住宅用雨水貯留システムに用いられる開口径変換継手部材の構成を説明する図１４中Ｃ−Ｃ線に沿った位置での断面図である。
【図１６】実施例９の住宅用雨水貯留システムに用いられる開口径変換継手部材の構成を説明する側面図である。
【図１７】実施例１０の住宅用雨水貯留システムに用いられる開口径変換継手部材の構成を説明する側面図である。
【図１８】従来例の住宅用雨水貯留装置で、建物の模式図である。
【図１９】従来例の住宅用雨水貯留装置のタンクの模式図である。
【符号の説明】
【０１７５】
１３          住宅（建物）
１４          宅地
１５          屋根部
雨水マス
１６          個別雨水マス
１７          宅地内最終雨水マス
埋設配管
１８          卵形配管
１１８        小判形配管
２１８        複合配管
１８ｂ        通過部
１８ｃ        貯留部
１９          縦樋
２３          オーバーフローパイプ
２３ａ        下端縁
２７          オリフィス管
【図１】
2005188060.tif 000003
【図２】
2005188060.tif 000004
【図３】
2005188060.tif 000005
【図４】
2005188060.tif 000006
【図５】
2005188060.tif 000007
【図６】
2005188060.tif 000008
【図７】
2005188060.tif 000009
【図８】
2005188060.tif 000010
【図９】
2005188060.tif 000011
【図１０】
2005188060.tif 000012
【図１１】
2005188060.tif 000013
【図１２】
2005188060.tif 000014
【図１３】
2005188060.tif 000015
【図１４】
2005188060.tif 000016
【図１５】
2005188060.tif 000017
【図１６】
2005188060.tif 000018
【図１７】
2005188060.tif 000019
【図１８】
2005188060.tif 000020
【図１９】
2005188060.tif 000021